(57)【要約】  【課題】  入力キーを識別する識別画像及び表示部に表示する出力画像の表示形態を姿勢に応じて適正化することができる電子機器の提供。  【解決手段】  待機状態が解除された場合（Ｓ１２：ＹＥＳ）、方向検出器による姿勢の検出を行い（Ｓ１３）、検出結果に基づいて、各入力キーに割当てる識別画像、及び表示部に表示する画像の表示スタイルを判断する（Ｓ１４，Ｓ１９，Ｓ２１）。そして、表示テーブル及びキー配列テーブルから表示スタイルに適合する設定値を読込み（Ｓ１５，Ｓ２０，Ｓ２２）、制御の切替えを行う（Ｓ１６）。そして、制御の切替えが完了したと判断した場合（Ｓ１７：ＹＥＳ）、設定した表示スタイルにて識別画像及び出力画像の表示を行い、表示方向の適正化を行う（Ｓ１８）。【選択図】        図１２
2005284999.tif 000002
【特許請求の範囲】
【請求項１】
表示手段と、該表示手段上に設けてあり、前記表示手段による表示を視認可能に形成してある１又は複数の入力手段とを備え、前記表示手段にて各入力手段を識別する識別画像を各入力手段の位置に対応させて表示すべくなしてあり、前記入力手段により入力された情報に応じて処理を行う電子機器において、
自己の姿勢を検出する検出手段と、該検出手段の検出結果に基づいて前記識別画像の表示形態を設定する手段とを備え、設定した表示形態にて前記識別画像を表示すべくなしてあることを特徴とする電子機器。
【請求項２】
前記入力手段により入力された情報に基づいて出力画像を生成する手段と、該手段が生成した出力画像を表示する画像表示手段と、前記検出手段の検出結果に基づいて前記出力画像の表示形態を設定する手段とを更に備え、設定した表示形態にて前記出力画像を表示すべくなしてあることを特徴とする請求項１に記載の電子機器。
【請求項３】
前記検出手段は、少なくとも１つの電極と、該電極に当接可能に配置してあり、前記姿勢に応じて移動する導電性の移動片と、前記電極と前記移動片との間の導通状態を検出する検出回路とを備え、該検出回路が検出した導通状態に基づいて自己の姿勢を検出すべくなしてあることを特徴とする請求項１又は請求項２に記載の電子機器。
【請求項４】
前記検出回路が前記電極と前記移動片との間に導通が無いことを検出した場合、前記識別画像と前記出力画像とを所定の配置関係にて表示すべく、前記識別画像及び前記出力画像の表示形態を設定するようにしてあることを特徴とする請求項３に記載の電子機器。
【請求項５】
前記検出回路が前記電極と前記移動片との間に導通が有ることを検出した場合、前記配置関係と異なる配置関係にて前記識別画像と前記出力画像とを表示すべく、前記識別画像及び前記出力画像の表示形態を設定するようにしてあることを特徴とする請求項４に記載の電子機器。
【請求項６】
前記識別画像の表示形態は、各入力手段と各入力手段に割当てる識別画像との対応関係により規定しており、前記対応関係を複数組記憶する記憶手段と、前記検出手段の検出結果に基づき、前記記憶手段に記憶された対応関係を一組選択する手段とを備え、該手段が一の対応関係を選択することにより識別画像の表示形態を設定すべくなしてあることを特徴とする請求項１乃至請求項５の何れか１つに記載の電子機器。
【請求項７】
前記出力画像の表示形態は、前記出力画像の回転、拡大、又は縮小により規定してあることを特徴とする請求項２乃至請求項６の何れか１つに記載の電子機器。
【請求項８】
タッチパネルを備え、該タッチパネルは前記入力手段を備えることを特徴とする請求項１乃至請求項７の何れか１つに記載の電子機器。
【請求項９】
前記表示手段は、液晶表示パネルであることを特徴とする請求項１乃至請求項８の何れか１つに記載の電子機器。
【発明の詳細な説明】
【技術分野】
【０００１】
本発明は、自己の姿勢に応じて画像の表示形態を変更する電子機器に関する。
【背景技術】
【０００２】
携帯型電話機、ＰＤＡ（Personal Digital Assistant）等の携帯型情報端末装置（以下、単に携帯端末と称する）においては、小型軽量化及び多機能化が要求されている。例えば、携帯型電話機には、本来の通話機能の他に、電話帳機能、電子メール機能、インターネット接続機能、撮影機能等が搭載されるようになってきている。そのため、電話番号を入力するための数字キーの他に、アルファベットを入力するための文字キー、機能を選択するための機能キー等の各種入力キーが携帯電話機の操作部に設けられている。
【０００３】
また、携帯電話機には各種の情報を表示できるように液晶ディスプレイを搭載した表示部が設けられている。表示部に表示させる情報としては、ユーザが入力した電話番号、電話帳、電子メール、インターネット網からダウンロードした画像及び映像、撮影して得られた画像等であり、表示すべき内容は多種多様化してきている。したがって、表示させる内容によっては、縦型表示を行うよりも横型表示をした方がユーザにとって視認しやすい場合が生じる。そこで、近年では、操作部に対して表示部が回動自在に取り付けられており、表示部の向きに応じて画像の表示方向を変更できる携帯端末、及び表示部の姿勢を検出し、姿勢に応じて横書き表示と縦書き表示とを切替える携帯端末が提案されている（例えば、特許文献１参照）。
【特許文献１】特開２０００−５９４７４号公報
【発明の開示】
【発明が解決しようとする課題】
【０００４】
しかしながら、表示部を操作部に対して回動できるように構成した携帯端末では、操作部自体の向きが変化しないため、表示部を回動させたとしても操作部の操作感は変化しないという利点を有するが、表示部を回動させるための機構が大型化するため、携帯端末自体の小型化が図れないという問題点を有している。
【０００５】
また、表示部の姿勢に応じて横書き表示と縦書き表示とを切替える携帯端末では、表示部における画像の表示方向のみを変化させるため、操作部が備える入力キーを識別するための数字、マーク等の識別画像が容易に視認できない状態となり、その状態での操作感が格段に悪くなるという問題点を有している。特に、表示部での表示方向を切替えた結果、表示部に対して右側に操作部が配置されることとなる場合、左利きのユーザが本携帯端末を取り扱うことは非常に困難となり、意識的に表示方向を変更しなければならない場面が生じ、利便性が低下するという問題点を有している。
【０００６】
本発明は斯かる事情に鑑みてなされたものであり、自己の姿勢を検出し、各入力手段の位置に対応させて表示する識別画像の表示形態を、検出した結果に応じて設定し、設定した表示形態にて識別画像を表示する構成とすることにより、装置の大型化を図ることなく、各入力手段に割当てる識別画像の表示形態の適正化を図ることができる電子機器を提供することを目的とする。
【課題を解決するための手段】
【０００７】
本発明に係る電子機器は、表示手段と、該表示手段上に設けてあり、前記表示手段による表示を視認可能に形成してある１又は複数の入力手段とを備え、前記表示手段にて各入力手段を識別する識別画像を各入力手段の位置に対応させて表示すべくなしてあり、前記入力手段により入力された情報に応じて処理を行う電子機器において、自己の姿勢を検出する検出手段と、該検出手段の検出結果に基づいて前記識別画像の表示形態を設定する手段とを備え、設定した表示形態にて前記識別画像を表示すべくなしてあることを特徴とする。
【０００８】
本発明にあっては、自己の姿勢を検出し、検出した結果に応じて各入力手段の位置に対応させて表示する識別画像の表示形態を設定し、設定した表示形態にて識別画像を表示するようにしているため、各入力手段に割当てる識別画像の表示形態が、検出された姿勢に応じて適正化されるようになり、電子機器を任意の姿勢で取り扱う場合であっても操作感が低下することがなくなる。
【０００９】
本発明に係る電子機器は、前記入力手段により入力された情報に基づいて出力画像を生成する手段と、該手段が生成した出力画像を表示する画像表示手段と、前記検出手段の検出結果に基づいて前記出力画像の表示形態を設定する手段とを更に備え、設定した表示形態にて前記出力画像を表示すべくなしてあることを特徴とする。
【００１０】
本発明にあっては、入力された情報に基づいて出力画像を生成し、生成した出力画像の表示形態を検出した姿勢に応じて設定し、設定した表示形態にて出力画像を生成するようにしているため、画像表示手段に表示させる出力画像の表示形態が、検出した姿勢に応じて適正化されるようになり、電子機器を任意の姿勢で取り扱う場合であっても出力画像がユーザにとって視認し易い状態で表示される。
【００１１】
本発明に係る電子機器は、前記検出手段は、少なくとも１つの電極と、該電極に当接可能に配置してあり、前記姿勢に応じて移動する導電性の移動片と、前記電極と前記移動片との間の導通状態を検出する検出回路とを備え、該検出回路が検出した導通状態に基づいて自己の姿勢を検出すべくなしてあることを特徴とする。
【００１２】
本発明にあっては、少なくとも１つの電極と姿勢に応じて移動する移動片とにより検出手段を構成し、電極と移動片との導通の有無により自己の姿勢を検出するようにしていため、簡易な構成により姿勢を検出することができ、検出手段を搭載する場合であっても、コストの上昇を低く抑えることが可能となると共に、装置の大型化が避けられる。
【００１３】
本発明に係る電子機器は、前記検出回路が前記電極と前記移動片との間に導通が無いことを検出した場合、前記識別画像と前記出力画像とを所定の配置関係にて表示すべく、前記識別画像及び前記出力画像の表示形態を設定するようにしてあることを特徴とする。
【００１４】
本発明にあっては、電極と移動片との間に導通が無いことを検出した場合、識別画像と出力画像とが所定の配置関係で表示されるように両者の表示形態を設定するため、検出した姿勢に応じて識別画像及び出力画像の表示形態が適正化されるようになり、電子機器を任意の姿勢で取り扱う場合であっても、出力画像が視認し易い状態で表示されると共に、操作感の低下が防止される。
【００１５】
本発明に係る電子機器は、前記検出回路が前記電極と前記移動片との間に導通が有ることを検出した場合、前記配置関係と異なる配置関係にて前記識別画像と前記出力画像とを表示すべく、前記識別画像及び前記出力画像の表示形態を設定するようにしてあることを特徴とする。
【００１６】
本発明にあっては、電極と移動片との間に導通が有ることを検出した場合、識別画像と出力画像とが前述の配置関係と異なる配置関係で表示されるように両者の表示形態を設定するため、検出した姿勢に応じて識別画像及び出力画像の表示形態が適正化されるようになり、電子機器を任意の姿勢で取り扱う場合であっても、出力画像が視認し易い状態で表示されると共に、操作感の低下が防止される。
【００１７】
本発明に係る電子機器は、前記識別画像の表示形態は、各入力手段と各入力手段に割当てる識別画像との対応関係により規定しており、前記対応関係を複数組記憶する記憶手段と、前記検出手段の検出結果に基づき、前記記憶手段に記憶された対応関係を一組選択する手段とを備え、該手段が一の対応関係を選択することにより識別画像の表示形態を設定すべくなしてあることを特徴とする。
【００１８】
本発明にあっては、識別画像の表示形態を各入力手段と各入力手段に割当てる識別画像との対応関係により規定しており、姿勢を検出した結果に基づいて一組の対応関係を選択して表示形態を設定するようにしているため、画像処理を実行することなく表示形態の変更が可能となり、表示の切替えに要する時間が短縮される。
【００１９】
本発明に係る電子機器は、前記出力画像の表示形態は、前記出力画像の回転、拡大、又は縮小により規定してあることを特徴とする。
【００２０】
本発明にあっては、出力画像の回転、拡大、又は縮小により表示形態を規定しているため、画像表示手段の姿勢、大きさ等に合わせた出力画像の表示が可能となる。
【００２１】
本発明に係る電子機器は、タッチパネルを備え、該タッチパネルは前記入力手段を備えることを特徴とする。
【００２２】
本発明にあっては、タッチパネルによって入力手段を実現するため、電子機器の用途に合わせて入力手段の個数及び配置を任意に設計することが容易となる。
【００２３】
本発明に係る電子機器は、前記表示手段は、液晶表示パネルであることを特徴とする。
【００２４】
本発明にあっては、表示手段を液晶表示パネルにより実現するため、電子機器の用途に合わせて入力手段の個数及び配置を任意に設計することが容易となる。
【発明の効果】
【００２５】
本発明による場合は、自己の姿勢を検出し、検出した結果に応じて各入力手段の位置に対応させて表示する識別画像の表示形態を設定し、設定した表示形態にて識別画像を表示するようにしている。したがって、各入力手段に割当てる識別画像の表示形態について、検出された姿勢に応じた適正化を図ることができ、電子機器を任意の姿勢で取り扱う場合であっても操作感の低下を防止することができる。
【００２６】
本発明による場合は、入力された情報に基づいて出力画像を生成し、生成した出力画像の表示形態を検出した姿勢に応じて設定し、設定した表示形態にて出力画像を生成するようにしているため、画像表示手段に表示させる出力画像の表示形態について、検出した姿勢に応じた適正化を図ることができ、電子機器を任意の姿勢で取り扱う場合であっても、出力画像をユーザにとって視認し易い状態で表示することができる。
【００２７】
本発明による場合は、少なくとも１つの電極と姿勢に応じて移動する移動片とにより検出手段を構成し、電極と移動片との導通の有無により自己の姿勢を検出するようにしていため、簡易な構成により姿勢を検出することができ、検出手段を搭載する場合であっても、コストの上昇を低く抑えることが可能となると共に、装置の小型化を図ることが可能となる。
【００２８】
本発明による場合は、電極と移動片との間に導通が無いことを検出した場合、識別画像と出力画像とが所定の配置関係で表示されるように両者の表示形態を設定するため、検出した姿勢に応じて識別画像及び出力画像の表示形態が適正化されるようになり、電子機器を任意の姿勢で取り扱う場合であっても、出力画像を視認し易い状態で表示することができると共に、操作感の低下を防止することができる。また、この状態をデフォルトの設定とすることにより、検出手段を搭載したことに伴う消費電力の増大を低く抑えることができる。
【００２９】
本発明による場合は、電極と移動片との間に導通が有ることを検出した場合、識別画像と出力画像とが前述の配置関係と異なる配置関係で表示されるように両者の表示形態を設定するため、検出した姿勢に応じて識別画像及び出力画像の表示形態が適正化されるようになり、電子機器を任意の姿勢で取り扱う場合であっても、出力画像を視認し易い状態で表示することができると共に、操作感の低下を防止することができる。
【００３０】
本発明による場合は、識別画像の表示形態を各入力手段と各入力手段に割当てる識別画像との対応関係により規定しており、姿勢を検出した結果に基づいて一組の対応関係を選択して表示形態を設定するようにしているため、画像処理を実行することなく表示形態の変更が可能となり、表示の切替えに要する時間を短縮することができる。
【００３１】
本発明による場合は、出力画像の回転、拡大、又は縮小により表示形態を規定しているため、画像表示手段の姿勢、大きさ等に合わせた出力画像の表示が可能となる。
【００３２】
本発明による場合は、タッチパネルによって入力手段を実現するため、電子機器の用途に合わせて入力手段の個数及び配置を任意に設計することができる。
【００３３】
本発明による場合は、表示手段を液晶表示パネルにより実現するため、電子機器の用途に合わせて入力手段の個数及び配置を任意に設計することができる。
【発明を実施するための最良の形態】
【００３４】
以下、本発明に係る電子機器を携帯電話機、ＰＤＡ等の携帯端末に適用した形態について、図面を用いて具体的に説明する。
図１は本実施の形態に係る携帯端末の概略構成を示す模式図である。本実施の形態に係る携帯端末は、ユーザからの指示や操作の入力を受付ける操作部１１と、操作部１１を通じて入力された情報に基づいて画像を表示する表示部１２とにより構成される。操作部１１及び表示部１２は夫々適宜の厚みを有するパネル上に設けられている。両パネルは図に示していないヒンジ部により蝶着されており、二つ折りの状態と略１８０度の水平状態との間で両者の角度を任意に変化させることができるように構成されている。以下では、操作部１１が設けられたパネルを操作部本体１、表示部１２が設けられたパネルを表示部本体２と称することとする。
【００３５】
操作部１１は４×４のマトリクス状に配置した各種入力キーを備えている。操作部１１が備える入力キーとしては、通話キー、クリアキー等の所定の機能が割当てられた機能キーの他、所定の入力値が入力されるように構成した０から９の数字キー、＊キー、＃キーを含む。図２は操作部１１の詳細を示す模式的構成図であり、図２（ａ）は操作部１１の正面図を示し、図２（ｂ）は正面図におけるＸ−Ｘ’線での断面を示している。例えば、図に示した最上段の４つの入力キーはユーザの押圧操作を受付ける押圧部１１１ａ〜１１１ｄを備えており、それらの下層には各押圧部１１１ａ〜１１１ｄに加わる押圧力を検出する半導体圧力センサを備えた押圧検出部１１２が設けられている。押圧検出部１１２は押圧部１１１ａ〜１１１ｄの位置に応じた信号を出力する。なお、前述の４つの入力キー以外の入力キーの構成も同様であり、各入力キーが備える押圧部に加わる押圧力を押圧検出部１１２にて検出し、各押圧部の位置に応じた信号を出力する。
【００３６】
押圧部１１１ａ〜１１１ｄ等及び押圧検出部１１２は透光性部材により形成されており、押圧検出部１１２の下層に設けられた指標表示部１１３上の画像を視認できるようにしている。指標表示部１１３は液晶ディスプレイを備えており、各入力キーを識別するための識別画像を押圧部１１１ａ〜１１１ｄ等の位置に対応させて表示する。図２に示した例では、押圧部１１１ａの位置に対応させて電話機を模した識別画像を表示し、押圧部１１１ｂ〜１１１ｄの位置に対応させてそれぞれ数字の「１」，「２」，「３」からなる識別画像を表示している。他の入力キーに割当てる識別画像についても同様である。
【００３７】
表示部１２は、例えば、液晶ディスプレイ、有機ＥＬディスプレイ等により構成されており、操作部１１を通じて入力された情報に基づいて後述する制御部（図６参照）が画像を生成し、生成した画像を表示する。表示部１２にて表示される画像には文字、記号、図形等が含まれ、ユーザに対する操作案内、情報の通知等を行う。
【００３８】
また、本携帯端末は自己の姿勢を検出するための方向検出器１３を操作部本体１に搭載しており、方向検出器１３の検出結果に応じて、識別画像の表示方向、及び表示部１２に表示する画像の表示方向の適正化を行う。
【００３９】
図３〜図５は方向検出器１３の検出結果に従って表示方向の適正化を行った様子を示す模式図である。携帯端末の表示部本体２及び操作部本体１が鉛直方向において上下の関係にある場合、方向検出器１３がその状態（姿勢）を検出し、表示部１２に表示する画像と操作部１１の指標表示部１１３に表示する識別画像とが上下に配置されるように前記画像及び識別画像の表示方向を設定する（図３参照）。ユーザは表示部本体２の下側に配置される操作部本体１を右手又は左手により把持して携帯端末の操作を行う。このように、表示部本体２及び操作部本体１が上下に配置されるように表示方向を設定した表示スタイルを、以下では標準スタイルと称する。
【００４０】
図３に示した状態から、鉛直面内において反時計回りに携帯端末を略９０度回転させ、その姿勢を変更した場合、方向検出器１３がその状態（姿勢）を検出し、表示部１２に表示する画像が正面に向かって左側、操作部１１の指標表示部１１３に表示する識別画像が右側に配置されるように前記画像及び識別画像の表示方向を設定する（図４参照）。この場合、ユーザは表示部本体２の右側に配置されることとなる操作部本体１を右手により把持して携帯端末の操作を行う。このように、表示部本体２の右側に操作部本体１が配置されるように表示方向を設定した表示スタイルを、以下では右利き用スタイルと称する。
【００４１】
逆に、図３に示した状態から、鉛直面内において時計回りに携帯端末を略９０度回転させ、その姿勢を変更した場合、方向検出器１３がその状態（姿勢）を検出し、表示部１２に表示する画像が正面に向かって右側、操作部１１の指標表示部１１３に表示する識別画像が左側に配置されるように前記画像及び識別画像の表示方向を設定する（図５参照）。この場合、ユーザは表示部本体２の左側に配置されることとなる操作部本体１を左手により把持して携帯端末の操作を行う。このように、表示部本体２の左側に操作部本体１が配置されるように表示方向を設定した表示スタイルを、以下では左利き用スタイルと称する。
【００４２】
図６は携帯端末の制御系の要部構成を示すブロック図である。携帯端末は、制御部１０、及び制御部１０に接続された操作部１１、表示部１２、方向検出器１３、メモリ１４等のハードウェアを備える。制御部１０は、前記ハードウェアを制御するＣＰＵ、ＣＰＵが実行するプログラムを格納したＲＯＭ、ＣＰＵによる演算結果等を一時的に記憶するＲＡＭ等により構成され、ＣＰＵがＲＯＭに格納されたプログラムをロードして実行することにより、携帯端末を本発明に係る電子機器として機能させる。なお、図には示していないが、携帯端末の用途によっては外部の通信機器と通信を行う通信手段、音声を出力する音声出力手段等を備える構成であっても良いことは勿論である。
【００４３】
操作部１１は前述した入力キーによりユーザの操作を受付け、押圧検出部１１２が出力する各入力キーの位置に応じた信号を制御部１０へ送出する。操作部１１から出力される信号を受けた制御部１０はその信号に応じた処理を実行する。制御部１０が実行する処理としては、表示部１２に表示させるべき画像を生成する処理、入力キーに割当てられた機能を実行する処理等が挙げられる。
【００４４】
方向検出器１３は自己の姿勢を検出し、その検出結果を制御部１０へ送出する。方向検出器１３からの検出結果を受けた制御部１０は、画像及び識別画像の表示スタイルを決定し、決定した表示スタイルにて画像及び識別画像を表示できるようにメモリ１４内の表示テーブル１４ａ及びキー配列テーブル１４ｂから該当項目を読込む。
【００４５】
図７は表示テーブル１４ａを説明する説明図である。表示テーブル１４ａは、図７（ａ）に示すように表示スタイルと画像表示の基準点とを対応付けたテーブルである。ここで、画像表示の基準点とは、画像の原点を表示する表示部１２上の点のことをいう。標準スタイルにて画像を表示する場合、画像表示の基準点として表示部１２の左上隅の点ＰＡを選択し、画像のｘ方向を点ＰＡから点ＰＢへ向かう方向に合わせて表示を行う（図７（ｂ）参照）。また、右利き用スタイルにて画像を表示する場合、画像表示の基準点として表示部１２の右上隅の点ＰＢを選択し、画像のｘ方向を点ＰＢから点ＰＤへ向かう方向に合わせて表示を行う。また、左利き用スタイルにて画像を表示する場合、画像表示の基準点として表示部１２の左下隅の点ＰＣを選択し、画像のｘ方向を点ＰＣから点ＰＡへ向かう方向に合わせて表示を行う。
なお、表示すべき画像の大きさと表示部１２による表示領域の大きさとが異なる場合、表示すべき画像に対して拡大・縮小処理、トリミング処理等を施した後、表示するようにしても良い。
【００４６】
図８はキー配列テーブル１４ｂを説明する説明図である。キー配列テーブル１４ｂでは、各入力キーに割当てる識別画像を表示スタイル毎に規定している。図８（ｂ）に示したように割当てたキー符号と各表示スタイルでの識別画像との対応付けをキー配列テーブル１４ｂに登録しておき、表示スタイルが選択されたときに該当する表示スタイルのデータを読み込んで指標表示部１１３に表示すべき各入力キーの識別画像を決定する。例えば、標準スタイルが選択された場合、最上段の入力キー（キー符号はａ〜ｄ）には、左側から順に電話を模した識別画像、数字の「１」，「２」，「３」を表す識別画像が夫々割当てられる。２段目以降も同様である。また、右利き用スタイルが選択された場合、最上段の入力キーに割当てる識別画像として、キー配列テーブル１４ｂにおいてｄ，ｈ，ｍ，ｒのキー符号が付されている識別画像が選択される。同様に、左利き用スタイルが選択された場合、最上段の入力キーに割当てる識別画像として、キー配列テーブル１４ｂにおいてｎ，ｉ，ｅ，ａのキー符号が付されている識別画像が選択される。
【００４７】
図９は方向検出器１３の構成を示す回路図である。方向検出器１３は、操作部本体１の姿勢、すなわち、方向検出器１３自身の姿勢に応じて移動する導電性の移動片１３１、図に示していない方向検出器１３用の電源の正側に接続された電極１３２、及び負側に接続された電極１３３を備えている。移動片１３１及び２つの電極１３２，１３３は同一平面内に配置されている。移動片１３１は、前記平面内において支点１３１ａを中心に回転するように支持されており、紙面内で時計回りに所定角度回転したとき、移動片１３１の端部１３１ｂが電極１３２に当接し、反時計回りに所定角度回転したとき、端部１３１ｂが電極１３３に当接するように構成されている。
【００４８】
移動片１３１の支点１３１ａ側には、電流を検出するための２つの検出部１３０ａ，１３０ｂが夫々ダイオード１３５，１３６を介して接続されている。回路図に示したように、検出部１３０ａはダイオード１３５のカソード側に接続されているため、移動片１３１の端部１３１ｂが電極１３２に当接したときに流れる電流を検出する。また、検出部１３０ｂはダイオード１３６のアノード側に接続されているため、移動片１３１の端部１３１ｂが電極１３３に当接したときに流れる電流を検出する。検出部１３０ａ，１３０ｂは、電流を検出したときにオン信号を出力し、電流を検出できないときにオフ信号を出力する。
【００４９】
図１０は姿勢を変更したときの方向検出器１３の接続状態を示す回路図であり、図１１は検出部１３０ａ，１３０ｂによる検出結果をまとめた図表である。携帯端末の表示部本体２及び操作部本体１が鉛直方向において上下の関係にある場合、図１０（ａ）に示したように、移動片１３１の端部１３１ｂは何れの電極１３２，１３３にも当接していない状態にある。この場合、２つの検出部１３０ａ，１３０ｂは何れもオフ信号を出力し、方向検出器１３の検出結果を受けた制御部１０は、画像及び識別画像の表示スタイルとして標準スタイルを選択する。また、図１０（ａ）に示した状態から、鉛直面内において反時計回りに携帯端末が略９０度回転した場合、移動片１３１はその自重により支点１３１ａを中心にして回転し、電極１３２に当接することとなり、検出部１３０ａはオン信号を出力し、検出部１３０ｂはオフ信号を出力する。この検出結果を制御部１０が受けた場合、画像及び識別画像の表示スタイルとして右利き用スタイルを選択する。また、図１０（ａ）に示した状態から、鉛直面内において時計回りに携帯端末が略９０度回転した場合、移動片１３１はその自重により支点１３１ａを中心にして回転し、電極１３３に当接することとなり、検出部１３０ａはオフ信号を出力し、検出部１３０ｂはオン信号を出力する。この検出結果を制御部１０が受けた場合、画像及び識別画像の表示スタイルとして左利き用スタイルを選択する。
【００５０】
以下、本携帯端末による処理の手順について説明する。図１２は携帯端末が実行する処理の手順を説明するフローチャートである。携帯端末がユーザの操作を待ち受ける待機状態にある場合（ステップＳ１１）、携帯端末の制御部１０は待機状態が解除されたか否かを逐次的に判断する（ステップＳ１２）。待機状態が解除されたか否かは、操作部本体１及び表示部本体２が二つ折りの状態から略１８０度の水平状態に遷移したか否かを検出することにより判断するようにしている。待機状態が解除されていないと判断した場合（Ｓ１２：ＮＯ）、処理をステップＳ１１へ戻す。
【００５１】
待機状態が解除された場合（Ｓ１２：ＹＥＳ）、方向検出器１３による姿勢の検出を行い（ステップＳ１３）、検出結果を制御部１０へ送出する。制御部１０では、方向検出器１３による検出結果に基づき、検出結果が標準スタイルを示すか否かを判断する（ステップＳ１４）。すなわち、方向検出器１３が備える２つの検出部１３０ａ，１３０ｂが共にオフであるか否かを判断する。
【００５２】
検出結果が標準スタイルを示すと判断した場合（Ｓ１４：ＹＥＳ）、制御部１０は、表示テーブル１４ａ及びキー配列テーブル１４ｂから標準スタイルに適合する設定値を読込み（ステップＳ１５）、表示部１２に表示させる画像の生成、及び操作部１１の指標表示部１１３に表示させる識別画像の生成を行う。次いで、表示テーブル１４ａ及びキー配列テーブル１４ｂに基づき、制御を切替えを行う（ステップＳ１６）。制御の切替えでは、操作部１１の押圧検出部１１２にて出力される信号に対して制御の割当てを行う。例えば、図８のキー符号ａに対応する入力キーが押圧された場合、通話キーとしての機能が実行できるように押圧検出部１１２からの信号と実行すべき制御と対応付けを行う。他のキー符号ｂ〜ｒに対応する入力キーについても同様である。
【００５３】
次いで、制御部１０は、制御の切替えが完了したか否かを判断する（ステップＳ１７）。制御の切替えが完了していないと判断した場合（Ｓ１７：ＮＯ）、切替えが完了するまで待機し、制御の切替えが完了したと判断した場合（Ｓ１７：ＹＥＳ）、ステップＳ１５にて読込んだ設定値に基づいて生成した画像及び識別画像を夫々表示部１２及び指標表示部１１３に表示して、表示方向の適正化を行う（ステップＳ１８）。
【００５４】
ステップＳ１４において、方向検出器１３による検出結果が標準スタイルを示さないと判断した場合（Ｓ１４：ＮＯ）、検出結果が右利き用スタイルを示すか否かを判断する（ステップＳ１９）。検出結果が右利き用スタイルを示すと判断した場合（Ｓ１９：ＹＥＳ）、制御部１０は、表示テーブル１４ａ及びキー配列テーブル１４ｂから右利き用スタイルに適合する設定値を読込み（ステップＳ２０）、表示部１２に表示させる画像の生成、及び操作部１１の指標表示部１１３に表示させる識別画像の生成を行う。そして、ステップＳ１６からステップＳ１８までの処理を実行し、表示部１２に表示させる画像、及び操作部１１の指標表示部１１３に表示させる識別画像の表示方向の適正化を行う。
【００５５】
また、ステップＳ１９において、方向検出器１３による検出結果が右利き用スタイルを示さないと判断した場合（Ｓ１９：ＮＯ）、検出結果が左利き用スタイルを示すか否かを判断する（ステップＳ２１）。検出結果が左利き用スタイルを示さないと判断した場合（Ｓ２１：ＮＯ）、処理をステップＳ１３へ戻し、方向検出器１３による姿勢の検出を再度行う。また、検出結果が左利き用スタイルを示すと判断した場合（Ｓ２１：ＹＥＳ）、制御部１０は、表示テーブル１４ａ及びキー配列テーブル１４ｂから左利き用スタイルに適合する設定値を読込み（ステップＳ２２）、表示部１２に表示させる画像の生成、及び操作部１１の指標表示部１１３に表示させる識別画像の生成を行う。そして、ステップＳ１６からステップＳ１８までの処理を実行し、表示部１２に表示させる画像、及び操作部１１の指標表示部１１３に表示させる識別画像の表示方向の適正化を行う。
【００５６】
なお、本実施の形態では、待機状態から復帰したときに方向検出器１３が自己の姿勢を検出して、操作部１１での識別画像の表示方向、及び表示部１２での画像の表示方向の適正化を行うこととしたが、方向検出器１３により自己の姿勢を常時検出し、検出結果に基づいて表示方向の適正化を常時行う構成であっても良いことは勿論のことである。また、本実施の形態では、方向検出器１３によって３つの姿勢を検出するようにしたが、移動片１３１の周囲に配置する電極の数を調整し、２つ又は４つ以上の姿勢を検出するようにして、表示方向の適正化を行う構成としても良い。
【００５７】
また、本実施の形態では、４×４のマトリクス状に配置した入力キーを備える構成としたが、入力キーの個数及び配置は前述したものに限定する必要はないことは勿論である。
【図面の簡単な説明】
【００５８】
【図１】本実施の形態に係る携帯端末の概略構成を示す模式図である。
【図２】操作部の詳細を示す模式的構成図である。
【図３】方向検出器の検出結果に従って表示方向の適正化を行った様子を示す模式図である。
【図４】方向検出器の検出結果に従って表示方向の適正化を行った様子を示す模式図である。
【図５】方向検出器の検出結果に従って表示方向の適正化を行った様子を示す模式図である。
【図６】携帯端末の制御系の要部構成を示すブロック図である。
【図７】表示テーブルを説明する説明図である。
【図８】キー配列テーブルを説明する説明図である。
【図９】方向検出器の構成を示す回路図である。
【図１０】姿勢を変更したときの方向検出器の接続状態を示す回路図である。
【図１１】検出部による検出結果をまとめた図表である。
【図１２】携帯端末が実行する処理の手順を説明するフローチャートである。
【符号の説明】
【００５９】
１  操作部本体
２  表示部本体
１０  制御部
１１  操作部
１２  表示部
１３  方向検出器
１４  メモリ
１４ａ  表示テーブル
１４ｂ  キー配列テーブル
【図１】
2005284999.tif 000003
【図２】
2005284999.tif 000004
【図３】
2005284999.tif 000005
【図４】
2005284999.tif 000006
【図５】
2005284999.tif 000007
【図６】
2005284999.tif 000008
【図７】
2005284999.tif 000009
【図８】
2005284999.tif 000010
【図９】
2005284999.tif 000011
【図１０】
2005284999.tif 000012
【図１１】
2005284999.tif 000013
【図１２】
2005284999.tif 000014